(57)【要約】【課題】格納動作に伴うレンズ保持部材の移動量が他のレンズホルダ等の移動量に比べて大きい場合でも、アクチュエータの非通電状態でのレンズ保持部材の移動を制限する。【解決手段】レンズ装置２は、レンズＬ４を保持する第１のレンズ保持部材６と、該第１のレンズ保持部材を光軸方向に移動させるアクチュエータ２１，２２，２３，１５とを有し、使用可能状態からアクチュエータによって第１のレンズ保持部材を格納位置に移動させて格納状態となる。該レンズ装置は、第１のレンズ保持部材の移動を制限する第１の位置と該第１の位置から退避する第２の位置との間で、光軸方向とは異なる方向において移動可能な移動制限部材２６と、格納位置に移動された第１のレンズ保持部材に対して、移動制限部材を第２の位置から第１の位置に移動させる駆動部材８とを有する。【選択図】図１４
2010032975.tif 000002
【特許請求の範囲】
【請求項１】
レンズを保持する第１のレンズ保持部材と、該第１のレンズ保持部材を光軸方向に移動させるアクチュエータとを有し、使用可能状態から前記アクチュエータによって前記第１のレンズ保持部材を格納位置に移動させて格納状態となるレンズ装置であって、
前記第１のレンズ保持部材の移動を制限する第１の位置と該第１の位置から退避する第２の位置との間で、前記光軸方向とは異なる方向において移動可能な移動制限部材と、
前記格納位置に移動された前記第１のレンズ保持部材に対して、前記移動制限部材を前記第２の位置から前記第１の位置に移動させる駆動部材とを有することを特徴とするレンズ装置。
【請求項２】
前記駆動部材は、光軸回り方向又は前記光軸方向に移動して前記移動制限部材を前記第２の位置から前記第１の位置に移動させることを特徴とする請求項１に記載のレンズ装置。
【請求項３】
前記使用可能状態から前記格納状態になるときの前記第１のレンズ保持部材の移動量が、該第１のレンズ保持部材に対して前記光軸方向にて隣り合う第２のレンズ保持部材の移動量よりも大きいことを特徴とする請求項２に記載のレンズ装置。
【請求項４】
前記駆動部材は、光軸回りで回転しながら、前記第１のレンズ保持部材により保持された前記レンズとは異なるレンズを前記光軸方向に移動させるカム筒であることを特徴とする請求項１から３のいずれか１つに記載のレンズ装置。
【請求項５】
前記アクチュエータは、ボイスコイルモータであることを特徴とする請求項１から４のいずれか１つに記載のレンズ装置。
【請求項６】
請求項１から５のいずれか１つに記載のレンズ装置を有することを特徴とする撮像装置。
【発明の詳細な説明】
【技術分野】
【０００１】
本発明は、レンズを光軸方向に移動させるボイスコイルモータを有するレンズ装置及びこれを有するデジタルカメラ等の撮像装置に関する。
【背景技術】
【０００２】
レンズ装置において、レンズを光軸方向に移動させるアクチュエータとしては、ステッピングモータ、振動型モータ、ボイスコイルコイルモータ（以下、ＶＣＭという）等がある。
【０００３】
特許文献１には、ＶＣＭをアクチュエータとして用いたレンズ装置が開示されている。このレンズ装置では、レンズを保持するレンズホルダにコイルを配置し、該コイルの一部に対向するように光軸方向に延びるマグネットを配置してＶＣＭを構成している。コイルに通電することで、マグネットからの磁束とコイルで発生した磁束との作用により光軸方向への推力が生まれ、レンズホルダを光軸方向に駆動することができる。
【０００４】
ただし、ＶＣＭは、ステッピングモータや振動型モータのように非通電状態において磁気的又は摩擦による停止保持力を発生しない。このため、ＶＣＭによって駆動されるレンズホルダ（以下、ＶＣＭレンズホルダという）を、レンズ装置（又はこれが設けられた撮像装置）の電源オフによってＶＣＭが非通電状態になったときに停止させておく機構が必要となる。これは、ＶＣＭの非通電状態においてレンズ装置に振動や衝撃が加わると、ＶＣＭレンズホルダが移動して他のレンズホルダや部品に衝突し、衝突音が生じたり光学性能が低下したりするおそれがあるためである。
【０００５】
特許文献２には、電源オフによる使用可能位置（撮影可能位置）からの格納動作に伴って光軸方向に移動する他のレンズホルダによって、ＶＣＭの非通電状態におけるＶＣＭレンズホルダの移動を制限するレンズ装置が開示されている。
【０００６】
また、特許文献３には、格納動作に伴って光軸方向に移動するレンズバリアユニットによって、ＶＣＭの非通電状態におけるＶＣＭレンズホルダの移動を制限するレンズ装置が開示されている。
【特許文献１】特開平５−１５０１５２号公報
【特許文献２】特開２００５−２７４６３１号公報
【特許文献３】特願２００７−０３３５５６号公報。
【発明の開示】
【発明が解決しようとする課題】
【０００７】
ところが、特許文献２，３にて開示されたレンズ装置のように、格納動作に伴って光軸方向に移動する他のレンズホルダやレンズバリアユニット（以下、移動制限部材という）によってＶＣＭレンズホルダの移動を制限する構成では、以下のような問題がある。すなわち、移動制限部材によってＶＣＭレンズホルダの移動を制限することができるのは、格納動作に伴う移動制限部材の移動量が、ＶＣＭレンズホルダの移動量よりも大きい場合に限られる。
【０００８】
言い換えれば、格納動作に伴うＶＣＭレンズホルダの移動量が他のレンズホルダやレンズバリアユニットの移動量よりも大きい場合には、該他のレンズホルダやレンズバリアユニットを移動制限部材として使用することができない。
【０００９】
本発明は、格納動作においてアクチュエータにより駆動されるレンズ保持部材の移動量が他のレンズホルダ等の移動量に比べて大きい場合でも、アクチュエータの非通電状態でのレンズ保持部材の移動を制限することができるようにしたレンズ装置を提供する。さらに、本発明は、上記レンズ装置を有する撮像装置を提供する。
【課題を解決するための手段】
【００１０】
本発明の一側面としてのレンズ装置は、レンズを保持する第１のレンズ保持部材と、該第１のレンズ保持部材を光軸方向に移動させるアクチュエータとを有し、使用可能状態からアクチュエータによって第１のレンズ保持部材を格納位置に移動させて格納状態となる。該レンズ装置は、第１のレンズ保持部材の移動を制限する第１の位置と該第１の位置から退避する第２の位置との間で、光軸方向とは異なる方向において移動可能な移動制限部材と、格納位置に移動された第１のレンズ保持部材に対して、移動制限部材を第２の位置から第１の位置に移動させる駆動部材とを有することを特徴とする。
【００１１】
なお、上記レンズ装置を有する撮像装置も、本発明の他の一側面を構成する。
【発明の効果】
【００１２】
本発明によれば、光軸方向とは異なる方向において移動制限部材を移動させるため、使用可能状態から格納状態になるときの第１のレンズ保持部材の移動量の大小にかかわらず、第１のレンズ保持部材の格納位置からの移動を制限することができる。
【発明を実施するための最良の形態】
【００１３】
以下、本発明の好ましい実施例について図面を参照しながら説明する。
【実施例１】
【００１４】
図２には、本発明の実施例１であるレンズ装置を搭載したカメラ（撮像装置）の外観を示している。また、図３は、該カメラの正面図である。
【００１５】
カメラ１の前面には、沈胴（格納）式のレンズ鏡筒（レンズ装置）２が設けられている。レンズ鏡筒２は、図５に示すように、被写体側から順に、第１レンズユニットＬ１、第２レンズユニットＬ２、第３レンズユニットＬ３及び第４レンズユニットＬ４により構成される撮影光学系を収容している。第４レンズユニットＬ４を撮影光学系の光軸方向に移動させることで、フォーカス調節を行うことができる。
【００１６】
図１には、レンズ鏡筒２が沈胴状態（格納状態）にあるときの第４レンズユニットＬ４周辺の構造を示している。図５、図６及び図７には、沈胴状態でのレンズ鏡筒２の内部構造（それぞれ図３におけるＡ−Ａ断面、Ｂ−Ｂ断面、Ｃ−Ｃ断面）を示している。図８、図９及び図１０には、ワイド状態（使用可能状態）でのレンズ鏡筒２の内部構造（それぞれ図３におけるＡ−Ａ断面、Ｂ−Ｂ断面、Ｃ−Ｃ断面）を示している。図１１、図１２及び図１３には、テレ状態でのレンズ鏡筒２の内部構造（それぞれ図３におけるＡ−Ａ断面、Ｂ−Ｂ断面、Ｃ−Ｃ断面）を示している。
【００１７】
これらの図において、第１レンズユニットＬ１は、第１レンズホルダ３により保持されている。第１レンズホルダ３は、第１カムピン３ａと第１直進溝３ｄとを有する。
【００１８】
第２レンズユニットＬ２は、第２レンズホルダ４により保持されている。第２レンズホルダ４には、第２カムピン４ａが設けられている。第２レンズホルダ４は、光軸方向に延びる一対のバー４ｂの一端を保持している。
【００１９】
第３レンズユニットＬ３は、第３レンズホルダ（第２のレンズ保持部材）５により保持されている。第３レンズホルダ５は、第３カムピン５ａと、一方のガイドバー４ｂに光軸方向に移動可能に係合するスリーブ部５ｂと、他方のバー４ｂに係合する回転止め用のＵ溝部５ｃとを有する。
【００２０】
第４レンズユニットＬ４は、ＶＣＭレンズホルダ（第１のレンズ保持部材）６により保持されている。
【００２１】
シャッターユニット７は、ＳＨカムピン７ａと、一方のガイドバー４ｂに光軸方向に移動可能に係合するスリーブ部７ｂと、他方のバー４ｂに係合する回転止め用のＵ溝部７ｃとを有している。
【００２２】
第１レンズホルダ３の内周であって第２レンズホルダ４の外周には、カム筒８及び固定筒９が配置されている。
【００２３】
カム筒８は固定筒９の外周において光軸回りで回転可能であり、カム筒８の外周部にはギア部８ｂと第１カム溝部８ａとが形成されている。また、カム筒８の内周部には、第２カム溝部８ｃと、第３カム溝８ｄと、ＳＨカム溝部８ｅと、ストッパ退避溝部８ｆと、カム筒駆動カム溝部８ｇとが形成されている。
【００２４】
固定筒９の周壁部には、光軸方向に延び、かつ径方向（光軸直交方向）にて貫通する第２直進溝部９ａと、カムピン９ｂとがそれぞれ、周方向３箇所に形成されている。固定筒９における第２直進溝部９ａと同位相の外周端部には、第１直進キー９ｃが形成されている。第２直進溝部９ａには、第２カムピン４ａが係合している。また、固定筒カムピン９ｂは、カム筒８のカム筒駆動カム溝部８ｇが係合している。第１直進キー９ｃは、第１レンズホルダ３の第１直進溝部３ｄに係合している。
【００２５】
図４において、１０は駆動ギアであり、１１はズームモータである。１２はメイン基板であり、１３は鏡筒フレキシブル基板である。１７は撮像素子ホルダである。
【００２６】
メイン基板１２から鏡筒フレキシブル基板１３を介してズームモータ１１に通電すると、ズームモータ１１によって駆動ギア１０が回転される。駆動ギア１０は、カム筒８のギア部８ｂに噛み合っているため、カム筒８が固定筒９の外周にて回転する。
【００２７】
カム筒８が回転すると、カム筒８の第１カム溝部８ａに第１カムピン３ａが係合している第１レンズホルダ３は、第１カム溝部８ａのリフトによって第１直進キー９ｃにガイドされながら光軸方向に移動する。また、カム筒８の第２カム溝部８ｃに第２カムピン４ａが係合している第２レンズホルダ４は、第２カム溝部８ｃのリフトによって第２直進溝部９ａにガイドされながら光軸方向に移動する。また、カム筒８の第３カム溝部８ｄに第３カムピン５ａが係合している第３レンズホルダ５は、第３カム溝部８ｄのリフトによって一方のガイドバー４ｂによりガイドながら光軸方向に移動する。さらに、カム筒８のＳＨカム溝部８ｅにＳＨカムピン７ａが係合しているシャッターユニット７は、ＳＨカム溝部８ｅのリフトによって一方のガイドバー４ｂによりガイドされながら光軸方向に移動する。
【００２８】
固定筒９のカムピン９ｂにカム筒駆動カム溝部８ｇが係合しているカム筒８が回転することで、カム筒８は、カム筒駆動カム溝部８ｇのリフトによって固定筒９に対して回転しながら光軸方向に移動する。
【００２９】
このように、第１レンズホルダ３と、第２レンズホルダ４と、第３レンズホルダ５と、シャッターユニット７と、カム筒８とが光軸方向に移動することで、レンズ鏡筒２は、図５〜図７に示す沈胴状態から、図８〜図１０に示すワイド状態に移行する。さらにカム筒８が回転すると、図１１〜図１３に示すテレ状態に移行する。
【００３０】
メイン基板１２は、不図示の配線を介して撮像素子基板２５上に取り付けられた撮像素子３０に接続されている。撮像素子基板２５は、撮像素子ホルダ１７に取り付けられている。撮像素子３０としては、ＣＣＤセンサやＣＭＯＳセンサが用いられる。撮像素子３０は、撮影光学系によって形成された被写体像を光電変換して撮像信号を出力する。撮像信号に基づいて画像が生成される。３１は撮像素子３０の前面に配置された赤外カット及びローパス機能を有する光学フィルタを保持するフィルタ保持部であり、撮像素子ホルダ１７に設けられている。
【００３１】
次に、図１、図５、図８及び図１４〜図２０を参照して、第４レンズユニットＬ４（ＶＣＭレンズホルダ６）を光軸方向に移動させるＶＣＭユニットについて説明する。図１４及び図１５は図３におけるＤ−Ｄ断面を示し、図１８は図３におけるＥ−Ｅ断面を示し、図１９及び図２０は光軸に直交する断面を示している。
【００３２】
ＶＣＭレンズホルダ６は、ガイドバー１８に光軸方向に移動可能に係合するスリーブ部６ａと、ガイドバー１９に係合する回転止め用のＵ溝部６ｂとを有する。また、ＶＣＭレンズホルダ６にはスケール１４が設けられている。
【００３３】
また、空芯部１５ａの周囲には、コイル１５が巻回されている。コイル１５は、ＶＣＭフレキシブル基板１６と前述した鏡筒フレキシブル基板１３とを介してメイン基板１２に接続されている。
【００３４】
撮像素子ホルダ１７は、ガイドバー１８，１９の一端を保持している。ガイドバー１８，１９の他端は、第４固定枠２４により保持されている。
【００３５】
撮像素子ホルダ１７におけるスケール１４に対向する位置には、位置センサ２０が設けられている。位置センサ２０は、鏡筒フレキシブル基板１３を介してメイン基板１２に接続されている。
【００３６】
第４固定筒２４には、Ｕ形状を有し、開放端を撮像素子ホルダ１７側に向けて光軸方向に延びるＵヨーク２２が保持されている。Ｕヨーク２２において光軸方向に延びる２つの平板部分のうち上側の平板部分の内面には、マグネット２１が吸着している。また、Ｕヨーク２２の開放端には、図５及び図８に示すように、Ｈ形状を有するＨヨーク２３が吸着してしる。
【００３７】
コイル１５、Ｕヨーク２２、Ｈヨーク２３及びマグネット２１により、アクチュエータとしてのボイスコイルモータ（ＶＣＭ）が構成される。
【００３８】
図５、図８及び図１６に示すように、Ｕヨーク２２のうち下側の平板部分は、コイル１５（空芯部１５ａ）の内側を貫通する。これにより、マグネット２１とＵヨーク２２の下側の平板部分とが対向することで形成される磁界中にコイル１５が配置される。
【００３９】
このため、コイル１５にＶＣＭフレキシブル基板１６を介して電流が供給されると、磁界と電流に直交する方向にローレンツ力が働き、ＶＣＭレンズホルダ６はガイドバー１８によりガイドされながら光軸方向に移動する。
【００４０】
このとき、ＶＣＭレンズホルダ６とともにスケール１４が位置センサ２０に対して移動することで、位置センサ２０はその移動量に応じた検出信号を出力する。メイン基板１２に搭載された不図示のＣＰＵは、位置センサ２０からの検出信号に基づいて、ＶＣＭレンズホルダ６の光軸方向の位置を検出する。そして、該ＣＰＵは、検出した位置と目標位置との差に基づいてコイル１５に流れる電流の向きと電流量を制御する。こうして、ＶＣＭレンズホルダ６を目標位置に移動させることができる。
【００４１】
次に、図１、図１４、図１５及び図１７〜図２０を用いて、ＶＣＭレンズホルダ６の移動を制限する機構について説明する。図１４及び図１５にはそれぞれ、沈胴状態とワイド状態におけるストッパとＶＣＭレンズホルダ６との関係（図３におけるＤ−Ｄ断面）を示している。図１７には、沈胴状態におけるＶＣＭレンズホルダ６の周辺の構造を示している。また、図１８には、沈胴状態におけるストッパと固定筒９とカム筒８との関係（図３におけるＥ−Ｅ断面）を示している。図１９及び図２０にはそれぞれ、沈胴状態とワイド状態におけるストッパと固定筒９とカム筒８との関係を示している。
【００４２】
これらの図において、２６は両端に軸部２６ａを有する移動制限部材としてのストッパである。ストッパ２６は、さらにカム部２６ｂと、係止爪２６ｃと、バネ掛け部２６ｄとを有する。２７は可動腕部２７ａと固定腕部２７ｂとを有する付勢部材としてのトーションバネである。
【００４３】
ストッパ２６の各軸部２６ａは、固定筒９に設けられた軸受け９ｄによって回転可能に保持されている。ストッパ２６は、係止爪２６ｃがＶＣＭレンズホルダ６の進路に進入する位置（第１の位置）と、該進路から退避する位置（第２の位置）との間で、光軸方向とは異なる方向（本実施例では、光軸に直交する面内の方向）にて回転（移動）可能である。
【００４４】
トーションバネ２７は、ストッパ２６の外周に配置され、可動腕部２７ａがバネ掛け２６ｄに、固定腕部２７ｂが固定筒９に設けられたバネ掛け部９ｅにそれぞれ引っ掛けられている。トーションバネ２７は、ストッパ２６を係止爪２６ｃがＶＣＭレンズホルダ６の進路から退避する回転方向（第２の位置の方向：図２０の矢印Ｎ方向）に付勢する。
【００４５】
図１５及び図２０に示すように、ワイド状態とテレ状態との間での撮影可能状態では、ストッパ２６のカム２６ｂは、ストッパ駆動部材としてのカム筒８の内周に形成されたストッパ退避溝部８ｆ内に入り込み、カム筒８には当接しない。このため、ストッパ２６は、トーションバネ２７の付勢力によって係止爪２６ｃがＶＣＭレンズホルダ６の進路から退避した位置（第２の位置）にある。
【００４６】
図１４及び図１９に示すように、ＶＣＭレンズホルダ６がＶＣＭによってワイド位置（使用可能位置）から沈胴位置（格納位置）に移動されると、レンズ鏡筒２がワイド状態から沈胴状態になる。このとき、カム筒８が図１９に示す矢印Ｌ方向に回転することにより、ストッパ退避溝部８ｆの端面（駆動部）８ｈがストッパ２６のカム部２６ｂに当接してストッパ２６をトーションバネ２７の付勢力に抗して矢印Ｍ方向に回転させる。これにより、ストッパ２６の係止爪２６ｃが、図１４に示すように、ＶＣＭレンズホルダ６の進路に進入する（第１の位置）。
【００４７】
ＶＣＭレンズホルダ６の進路に進入した係止爪２６ｃは、ＶＣＭレンズホルダ６のスリーブ部６ａの前端面（被写体側の端面）に対向又は当接する。これにより、ＶＣＭレンズホルダ６の沈胴位置からの光軸方向での移動が制限される。したがって、カメラ１に振動や衝撃が加わっても、ＶＣＭレンズホルダ６が移動してその前方に位置する第３レンズホルダ５や後方に位置するフィルタ保持部３１に衝突することを防止できる。
【００４８】
ここで、図１４と図１５を比べると分かるように、ワイド状態から沈胴状態への移行において、ＶＣＭレンズホルダ６に光軸方向にと隣り合う第３レンズホルダ５はほとんど光軸方向に移動しない。これに対して、ＶＣＭレンズホルダ６は大きく光軸方向（後方）に移動する。すなわち、ワイド状態から沈胴状態への移行時における第３レンズホルダ５の移動量よりもＶＣＭレンズホルダ６の移動量が大きい。
【００４９】
このため、沈胴状態において、第３レンズホルダ５とＶＣＭレンズホルダ６との間は、図１４にＳ１で示す距離だけ離れている。したがって、沈胴状態において第３レンズホルダ５をＶＣＭレンズホルダ６に当接させることでＶＣＭレンズホルダ６の移動を制限することはできない。
【００５０】
そこで本実施例では、第３レンズホルダ５とは別のストッパ２６を光軸方向とは異なる方向からＶＣＭレンズホルダ６の進路に進入させる。これにより、沈胴状態において第３レンズホルダ５がＶＣＭレンズホルダ６から離れていても（沈胴状態までの第３レンズホルダ５の移動量よりもＶＣＭレンズホルダ６の移動量が大きい場合でも）、ＶＣＭレンズホルダ６の格納位置からの移動を制限できる。
【実施例２】
【００５１】
図２１〜図２４を参照して、本発明の実施例２であるレンズ鏡筒（レンズ装置）について説明する。なお、本実施例におけるレンズ鏡筒の全体的な構成は、実施例１のレンズ鏡筒２と同じである。したがって、本実施例においては、実施例１と共通する又は共通する機能を有する構成要素には実施例１と同符号を付して説明に代え、実施例１と異なる部分についてのみ説明する。
【００５２】
図２１及び図２２にはそれぞれ、沈胴状態とワイド状態でのストッパ１２６とＶＣＭレンズホルダ６との関係（図３におけるＤ−Ｄ断面に相当する）を示している。また、図２３には、沈胴状態におけるストッパ１２６を示している。さらに、図２４には、沈胴状態におけるストッパ１２６と固定筒９とカム筒８との関係（図３におけるＥ−Ｅ断面に相当する）を示している。
【００５３】
ストッパ（移動制限部材）１２６は、その前後に形成されたスライダ１２６ａと、後端に形成された当接部１２６ｂと、前端に形成された係止爪１２６ｃとを有する。１２７は、ストッパ１２６の後端と固定筒９の突起部９ｈとの間に配置されたバネ（付勢部材）である。
【００５４】
スライダ１２６ａは、固定筒９のガイド部９ｆ，９ｇによって支持されている。バネ１２７は、ストッパ１２６を図２１中の矢印Ｐ方向（前方）に付勢する。
【００５５】
図２２に示すワイド状態（ワイド状態とテレ状態との間の撮影可能状態）では、ストッパ１２６の当接部１２６ｂはカム筒８の端面８ｍに当接しない。このため、バネ１２７の付勢力によって係止爪１２６ｃがＶＣＭレンズホルダ６の進路から退避した位置（第２の位置）にある。
【００５６】
そして、ＶＣＭレンズホルダ６がＶＣＭによってワイド位置から沈胴位置に移動されることにより、レンズ鏡筒２がワイド状態から図２１に示す沈胴状態になる。このとき、カム筒８は回転しながら光軸方向（後方）に移動し、カム筒８の端面（駆動部）８ｍがストッパ１２６の当接部１２６ｂに当接してバネ１２７の付勢力に抗してストッパ１２６を後方に距離Ｓ２１移動させる。これにより、ストッパ１２６のスライダ１２６ａが固定筒９のガイド部９ｆの斜面に沿ってスライドし、ストッパ１２６の係止爪１２６ｃが光軸方向とは異なる方向（光軸に直交する方向）において移動してＶＣＭレンズホルダ６の進路に進入する（第１の位置）。
【００５７】
ＶＣＭレンズホルダ６の進路に進入した係止爪１２６ｃは、ＶＣＭレンズホルダ６のスリーブ部６ａの前端面（被写体側の端面）に対向又は当接する。これにより、ＶＣＭレンズホルダ６の沈胴位置からの光軸方向での移動が制限される。したがって、カメラ１に振動や衝撃が加わっても、ＶＣＭレンズホルダ６が移動してその前方に位置する第３レンズホルダ５や後方に位置するフィルタ保持部３１に衝突することを防止できる。
【００５８】
本実施例でも、実施例１と同様に、第３レンズホルダ５とは別のストッパ２６を光軸方向とは異なる方向からＶＣＭレンズホルダ６の進路に進入させる。このため、沈胴状態において第３レンズホルダ５がＶＣＭレンズホルダ６から距離Ｓ２離れていても（沈胴状態までの第３レンズホルダ５の移動量よりもＶＣＭレンズホルダ６の移動量が大きい場合でも）、ＶＣＭレンズホルダ６の格納位置からの移動を制限できる。
【００５９】
以上説明した各実施例は代表的な例にすぎず、本発明の実施に際しては、各実施例に対して種々の変形や変更が可能である。
【００６０】
例えば、上記各実施例では、アクチュエータとして、停止保持力を有さないボイスコイルモータを使用したレンズ装置及び撮像装置について説明した。しかし、本発明は、ステッピングモータや振動型モータ等、それ自体で停止保持力を有するアクチュエータを使用するレンズ装置や撮像装置にも、レンズホルダの格納位置からの移動をより確実に制限する目的で適用することができる。
【図面の簡単な説明】
【００６１】
【図１】本発明の実施例１であるレンズ鏡筒における沈胴状態でのＶＣＭとＶＣＭレンズホルダを示す斜視図。
【図２】実施例１のレンズ鏡筒を有するカメラの外観斜視図。
【図３】図２のカメラの正面図。
【図４】実施例１のレンズ鏡筒の斜視図。
【図５】実施例１のレンズ鏡筒の沈胴状態での断面（Ａ−Ａ断面）図。
【図６】実施例１のレンズ鏡筒の沈胴状態での断面（Ｂ−Ｂ断面）図。
【図７】実施例１のレンズ鏡筒の沈胴状態での断面（Ｃ−Ｃ断面）図。
【図８】実施例１のレンズ鏡筒のワイド状態での断面（Ａ−Ａ断面）図。
【図９】実施例１のレンズ鏡筒のワイド状態での断面（Ｂ−Ｂ断面）図。
【図１０】実施例１のレンズ鏡筒のワイド状態での断面（Ｃ−Ｃ断面）図。
【図１１】実施例１のレンズ鏡筒のテレ状態での断面（Ａ−Ａ断面）図。
【図１２】実施例１のレンズ鏡筒のテレ状態での断面（Ｂ−Ｂ断面）図。
【図１３】実施例１のレンズ鏡筒のテレ状態での断面（Ｃ−Ｃ断面）図。
【図１４】実施例１のレンズ鏡筒の沈胴状態でのストッパとＶＣＭレンズホルダとの関係を示す断面（Ｄ−Ｄ断面）図。
【図１５】実施例１のレンズ鏡筒のワイド状態でのストッパとＶＣＭレンズホルダとの関係を示す断面（Ｄ−Ｄ断面）図。
【図１６】実施例１のレンズ鏡筒における沈胴状態でのＶＣＭレンズホルダの周辺構造を示す斜視図。
【図１７】実施例１のレンズ鏡筒における沈胴状態でのストッパを示す斜視図。
【図１８】実施例１のレンズ鏡筒における沈胴状態でのストッパとカム筒と固定筒との関係を示す断面（Ｅ−Ｅ断面）図。
【図１９】実施例１のレンズ鏡筒における沈胴状態でのストッパとカム筒と固定筒との関係を示す光軸直交断面図。
【図２０】実施例１のレンズ鏡筒におけるワイド状態でのストッパとカム筒と固定筒との関係を示す光軸直交断面図。
【図２１】本発明の実施例２であるレンズ鏡筒の沈胴状態でのストッパの周辺の構造を示す断面（Ｄ−Ｄ断面）図。
【図２２】実施例２であるレンズ鏡筒のワイド状態でのストッパの周辺の構造を示す断面（Ｄ−Ｄ断面）図。
【図２３】実施例２のレンズ鏡筒における沈胴状態でのストッパを示す斜視図。
【図２４】実施例２のレンズ鏡筒における沈胴状態でのストッパとカム筒と固定筒との関係を示す断面（Ｅ−Ｅ断面）図。
【符号の説明】
【００６２】
Ｌ１  第１レンズユニット
Ｌ２  第２レンズユニット
Ｌ３  第３レンズユニット
Ｌ４  第４レンズユニット
１  カメラ
２  レンズ鏡筒
５  第３レンズホルダ
６  ＶＣＭレンズホルダ
８  カム筒
８ｆ  ストッパ退避溝部
９  固定筒
１５  コイル
２１  マグネット
２６、１２６  ストッパ
【図１】
2010032975.tif 000003
【図２】
2010032975.tif 000004
【図３】
2010032975.tif 000005
【図４】
2010032975.tif 000006
【図５】
2010032975.tif 000007
【図６】
2010032975.tif 000008
【図７】
2010032975.tif 000009
【図８】
2010032975.tif 000010
【図９】
2010032975.tif 000011
【図１０】
2010032975.tif 000012
【図１１】
2010032975.tif 000013
【図１２】
2010032975.tif 000014
【図１３】
2010032975.tif 000015
【図１４】
2010032975.tif 000016
【図１５】
2010032975.tif 000017
【図１６】
2010032975.tif 000018
【図１７】
2010032975.tif 000019
【図１８】
2010032975.tif 000020
【図１９】
2010032975.tif 000021
【図２０】
2010032975.tif 000022
【図２１】
2010032975.tif 000023
【図２２】
2010032975.tif 000024
【図２３】
2010032975.tif 000025
【図２４】
2010032975.tif 000026